(57)【要約】  【課題】扉のハンドル構成を簡易にし、使い勝手、外観意匠性を向上させた冷蔵庫を提供するものである。  【解決手段】上下端部を折り曲げた扉パネル５と扉パネル５の側面に設置され手掛け式ハンドルＢ２３を形成した扉枠部材６、９の上下いずれか端部に手掛け式のハンドル凹部８を設けたハンドルＡ７を一体にして構成することにより、扉のハンドル構成を安価で簡素なものにし、部品点数を削減するとともに、使い勝手、外観意匠性を向上させた冷蔵庫を提供することができるものである。【選択図】図２
2008101813.tif 000002
【特許請求の範囲】
【請求項１】
冷蔵庫の前面開口部に設けられ開閉可能に取付けられた冷蔵庫扉において、上下を折り曲げた扉パネルと、前記扉パネル側面に配置した手掛け式ハンドルを形成した冷蔵庫扉枠部材により構成される扉に前記冷蔵庫扉枠部材と直交する方向に一体に手掛け式ハンドルを備えたことを特徴とする冷蔵庫。
【請求項２】
側面に配置した冷蔵庫扉枠部材の上下いずれか端部にＬ字状にハンドルの手掛け部を形成することを特徴とする請求項１に記載の冷蔵庫。
【請求項３】
前記ハンドルの手掛け部が冷蔵庫扉枠部材の平面上投影面内に収納されることを特徴とする請求項１または請求項２に記載の冷蔵庫。
【請求項４】
前記ハンドルの手掛け部を扉の左右方向の間で扉ヒンジ部より離れた端部に位置させることを特徴とする請求項１から請求項３のいずれか一項に記載の冷蔵庫。
【請求項５】
床面よりハンドルの下部までの高さを５５０ｍｍ以上で１３００ｍｍ以下としたことを特徴とする請求項１から請求項４のいずれか一項に記載の冷蔵庫。
【発明の詳細な説明】
【技術分野】
【０００１】
本発明は、冷蔵庫扉のハンドルに関するものである。
【背景技術】
【０００２】
従来、この種の冷蔵庫扉のハンドルは、左右を折り曲げた扉パネルの前面にハンドルを取付け、その周辺に絞り部を設けることにより構成されている（例えば、特許文献１参照）。
【０００３】
図３は、特許文献１に記載された従来の冷蔵庫扉とハンドルの斜視図である。図３に示すように冷蔵庫扉１５は、扉パネル１６と、ハンドル１７と、上下扉枠部材１８、１９と、内板とシール部材から構成されている。
【０００４】
上記構成において左右を折り曲げた扉パネル１６と、ハンドル１７と、上下扉枠部材１８、１９と、内板から構成される空間に発泡断熱材を充填し、断熱扉を形成している。ハンドル１７周辺に絞り部２２が設けられ手掛けハンドルが構成されている。
【特許文献１】特開平８−１２１９４３号公報
【発明の開示】
【発明が解決しようとする課題】
【０００５】
しかしながら、上記従来の構成では、冷蔵庫扉の手掛け式ハンドルを構成するには扉パネルに複雑な絞り形状が必要になり部品点数、工数が増え、作業性も悪くなるという課題を有していた。
【０００６】
また、外観意匠上冷蔵庫扉パネルの前面に絞り形状を設けることにより凹凸が生じるとともに、上下扉枠部材により各扉の連続性を妨げ、扉の統一感を損なうという課題を有していた。
【０００７】
本発明は、上記従来の課題を解決するもので、左右扉枠部材に手掛け式のハンドルを形成し、さらにその上下いずれか端部に手掛け式のハンドルを設けることにより、手が掛かる方向を増やした使い勝手の良い冷蔵庫扉のハンドルを提供するとともに、外観意匠性に優れた冷蔵庫を提供するものである。また、ハンドル部のパネル絞り形状を無くし、手掛け式ハンドルを左右扉枠部材と一体にすることにより部品点数、作業工数の少ない冷蔵庫扉のハンドルを提供することを目的とする。
【課題を解決するための手段】
【０００８】
上記従来の課題を解決するために、本発明は、冷蔵庫扉においてハンドルとして凹凸形状を形成した左右扉枠部材の上下いずれか端部にその左右扉枠部材と直交する形で一体に手掛け式のハンドルを設けることにより、扉前面に凹凸が無く、また各扉の連続性を損なわない意匠を実現しながら、使い勝手が良く、部品点数および作業工数の少ない冷蔵庫扉のハンドルを提供しようとしたものである。
【発明の効果】
【０００９】
本発明の冷蔵庫扉のハンドルは、扉前面に凹凸が無く、各扉の連続性を損なわないため外観意匠性を向上でき、また部品点数および作業工数を低減することができる。さらに手の掛かる方向を増やすことにより使い勝手が向上する。
【発明を実施するための最良の形態】
【００１０】
請求項１に記載の発明は、前面開口部を有する断熱箱体と、前記開口部に開閉可能に取付けられた上下を折り曲げた扉パネルと、前記扉パネル側面に配置した冷蔵庫扉枠部材により構成される扉において、前記冷蔵庫扉枠部材に凹凸形状にて手掛けハンドルを設けるとともに前記冷蔵庫扉枠部材と直交する形で一体に前記手掛け式ハンドルを備えることにより、使い勝手が良く、部品点数、作業工数を削減でき、かつ扉全体の連続性を損なわず外観意匠性を向上を図ることができる。
【００１１】
請求項２に記載の発明は、請求項１に記載の発明において、凹部手掛けハンドル形状を扉パネル側面に配置した冷蔵庫扉枠部材の上下いずれか端部にＬ字状に形成するものであり、これにより扉前面に凹凸が無く、フラットな扉となり外観意匠性をさらに向上できる。さらに手が掛かる方向が増えることにより使い勝手の向上につながる。
【００１２】
請求項３に記載の発明は、請求項１または請求項２に記載の発明において、前記手掛けハンドル部を冷蔵庫扉枠部材の平面投影内に配置されることにより、使用者の邪魔にならず扉が面一で意匠的に見栄えを良くすることができる。
【００１３】
請求項４に記載の発明は、請求項１から請求項３のいずれか一項に記載の発明において、ハンドルの手掛け部を扉の左右方向の間で扉ヒンジ部より離れた端部に位置させることにより、使用者が軽い力で扉を開くことができ、扉を開けやすくなる。
【００１４】
請求項５に記載の発明は、請求項１から請求項４のいずれか一項に記載の発明において、床面よりハンドルの下部までの高さを５５０ｍｍ以上で１３００ｍｍ以下としたことにより、腕を肩の高さ以上に上げたり、腰をかがめたりして腕や腰に負担を掛けることなく立ち姿勢のままで扉を軽く開けることができる。
【００１５】
以下、本発明の実施の形態について、図面を参照しながら説明する。なお、この実施の形態によってこの発明が限定されるものではない。
【００１６】
（実施の形態１）
図１は、本発明の実施の形態１における冷蔵庫の斜視図を示すものである。図２は、同実施の形態１における冷蔵庫扉の分解斜視図を示すものである。
【００１７】
図１において、冷蔵庫本体１は、前面開口部を有する断熱箱体に上段から冷蔵室１２、野菜室１３、冷凍室１４が備えられている。冷蔵室１２にはヒンジ式の開閉可能な冷蔵室扉２が設けられ、野菜室１３、冷凍室１４の前面には引出し式扉３、４が設けられている。
【００１８】
また、ハンドルＡ７およびハンドルＢ２３は冷蔵室１２、野菜室１３、冷凍室１４の扉に設けられたハンドルで、冷蔵室扉２の下部、引出し式扉３、４の上部で、扉周縁に設けた扉枠部材６、９の平面上投影面内に配置されており、扉を開閉する際ハンドルＡ７およびハンドルＢ２３の凹部８に手を掛け前後に動かし扉開閉をするようになっている。
【００１９】
また、床面よりハンドルＡ７の下部およびハンドルＢ２３の上部までの高さを５５０ｍｍ以上で１３００ｍｍ以下としている。
【００２０】
次に図２において冷蔵室扉２の詳細な構成について説明する。
【００２１】
冷蔵室扉２は、内板１０と、上下端部を折り曲げた扉パネル５と、扉パネル５の両側面に配置した扉枠部材６、９とで構成される空間に発泡断熱材が充填発泡され構成されている。ガスケット１１は冷蔵室扉２の庫内側周縁部に設けたシール部材である。
【００２２】
手掛け式ハンドルＢ２３は扉枠部材６、９の鉛直方向高さ範囲内において樹脂成型で指が楽に入る程度の凹部８を一体に設けられている。手掛け式ハンドルＡ７は扉枠部材６、９の下方端部に直交する形で樹脂成型で指が楽に入る程度の凹部８を一体に設けられており、これを扉パネル５の折り曲げの平面投影内で取り付け固定する。
【００２３】
以上、説明したように、本実施の形態では、ハンドルＡ７を扉枠部材６と一体に形成できるため簡素で部品点数も少なく扉を構成することができる。
【００２４】
また、扉枠部材６に設けられたハンドルＢ２３と直交する方向にハンドルＡ７を設けているため手の入る方向が増加し、使い勝手の向上につながる。
【００２５】
また、ハンドルＡ７およびハンドルＢ２３が扉周縁に設けた扉枠部材６、９の平面上投影面内に配置されることにより、使用者の邪魔にならず、扉枠材が面一で意匠的に見栄えを良くすることができる。
【００２６】
また、ハンドル収納のために扉表面に特別な凹陥部を形成する必要が無く、簡素で安価な構成でハンドルを扉に取付けることができる。
【００２７】
また、扉枠部材６、９の左右間位置においてヒンジ部より離れた端部に形成され比較的軽い力で扉を開閉することができる。
【００２８】
また、床面からハンドルＡ７の下端部までの高さを５５０ｍｍ以上、１３００ｍｍ以下としたので、日本人の平均的な女性（身長１５７３ｍｍ）の肩の高さが１２６１ｍｍ（日本規格協会編「図説エルゴノミクス」１９９０年）であり、履き物の高さなどを考慮して１３００ｍｍ以下であれば、ほぼ使用者は肩より上に腕を上げることなくハンドルの操作が可能であり、腕にあまり負担をかけずに操作を行うことができる。また、５５０ｍｍ以上としたのは、使用者がほぼ腰をかがめず立ち姿勢でハンドルを操作することができるからである。本実施の形態ではハンドルＡ７およびハンドルＢ２３が冷蔵室扉２の下端部、引出し式扉３、４の上端部に設けられているため、自然な動作で使い易い高さ範囲内で開扉操作を行うことができる。
【産業上の利用可能性】
【００２９】
以上のように、本発明にかかる冷蔵庫は、使い勝手が良く、簡素で安価な構成でハンドル取付けを可能としながら、意匠性を向上することができるので、扉全般に適用することができる。
【図面の簡単な説明】
【００３０】
【図１】本発明の実施の形態１における冷蔵庫の斜視図
【図２】同実施の形態１における冷蔵庫扉の分解斜視図
【図３】従来の冷蔵庫扉とハンドルの斜視図
【符号の説明】
【００３１】
１    冷蔵庫本体
２    冷蔵室扉
３    引出し式扉
４    引出し式扉
５    扉パネル
６、９  扉枠部材
７    ハンドルＡ
８    ハンドル凹部
１０  内板
１１  ガスケット
１２  冷蔵室
１３  野菜室
１４  冷凍室
２３  ハンドルＢ
【図１】
2008101813.tif 000003
【図２】
2008101813.tif 000004
【図３】
2008101813.tif 000005